(57)【特許請求の範囲】
【請求項１】
記録紙を収容する複数の記録紙カセットと、画データを記録紙に記録する記録手段と、記録紙を記録紙カセットから記録手段まで搬送する給紙時間及び記録紙の収容方向に基づく画データの記録時間を考慮して、画データの記録が完了するまでの時間が最短となる記録紙カセットを選択する制御手段と、記録部数を入力する入力手段とを備え、制御手段は、さらに入力手段から入力された記録部数をも考慮して、画データの記録が完了するまでの時間が最短となる記録紙カセットを選択する画像形成装置。
【請求項２】
請求項１に記載の画像形成装置において、原稿の画像を読み取る読取手段を備え、制御手段は、さらに読取時間をも考慮して、画データの記録が完了するまでの時間が最短となる記録紙カセットを選択する画像形成装置。
【請求項３】
請求項２に記載の画像形成装置において、制御手段は、さらに原稿枚数をも考慮して、画データの記録が完了するまでの時間が最短となる記録紙カセットを選択する画像形成装置。
【請求項４】
記録紙を収容する複数の記録紙カセットと、画データを記録紙に記録する記録手段と、記録紙を記録紙カセットから記録手段まで搬送する給紙時間及び記録紙の収容方向に基づく画データの記録時間を考慮して、画データの記録が完了するまでの時間が最短となる記録紙カセットを選択する制御手段と、記録部数を入力する入力手段とを備え、制御手段は、さらに残りの記録部数をも考慮して、画データの記録が完了するまでの時間が最短となる記録紙カセットを選択する画像形成装置。
【発明の詳細な説明】
【０００１】
【発明の属する技術分野】
本発明は、複写機能付きファクシミリ装置（以下、複合機という）に代表される画像形成装置に関し、より詳しくは記録紙カセットを選択するときの動作に特徴を有する画像形成装置に関するものである。
【０００２】
【従来の技術】
近年、各種サイズの記録紙が収容される複数の記録紙カセットを備えた複合機が主流になりつつある。そして、このような複数の記録紙カセットを備えた複合機において、同一サイズの記録紙、例えば頻繁に使用される「Ａ４サイズ」の記録紙が複数の記録紙カセットに収容されることもある。
【０００３】
具体的には、記録部に最も近い最上段の第１記録紙カセットに「Ａ４横サイズ」の記録紙が、記録部に最も遠い最下段の第５記録紙カセットに「Ａ４縦サイズ」の記録紙が、それぞれ収容されている場合を想定する。このような場合において、「Ａ４縦サイズ」の原稿を読取部で読み取って記録紙に１部コピーするときには、原稿と同一サイズの記録紙が収容されている第５記録紙カセットを選択する。その結果、読取部で読み取った原稿の画データを回転する必要がないため、コピー時間を短縮することができる。
【０００４】
【発明が解決しようとする課題】
しかしながら、「Ａ４縦サイズ」の原稿を複数部コピーする場合には、第５記録紙カセットを選択するよりも、第１記録紙カセットを選択して、回転処理後の画データを「Ａ４横サイズ」の記録紙に記録した方がコピー時間が短い場合もある。換言すれば、単に画データを回転する必要のない記録紙カセットを選択するのみの構成では、複数部コピーする場合にコピー時間が長くなる場合もあった。
【０００５】
本発明は、このような問題点に着目してなされたものであって、その目的は、画データの記録が完了するまでの時間を短縮することが可能な画像形成装置を提供することにある。
【０００６】
【課題を解決するための手段】
上記の目的を達成するために、請求項１に記載の発明では、記録紙を収容する複数の記録紙カセットと、画データを記録紙に記録する記録手段と、記録紙を記録紙カセットから記録手段まで搬送する給紙時間及び記録紙の収容方向に基づく画データの記録時間を考慮して、画データの記録が完了するまでの時間が最短となる記録紙カセットを選択する制御手段と、記録部数を入力する入力手段とを備え、制御手段は、さらに入力手段から入力された記録部数をも考慮して、画データの記録が完了するまでの時間が最短となる記録紙カセットを選択する。
【０００８】
請求項２に記載の発明では、請求項１に記載の画像形成装置において、原稿の画像を読み取る読取手段を備え、制御手段は、さらに読取時間をも考慮して、画データの記録が完了するまでの時間が最短となる記録紙カセットを選択する。
【０００９】
請求項３に記載の発明では、請求項２に記載の画像形成装置において、制御手段は、さらに原稿枚数をも考慮して、画データの記録が完了するまでの時間が最短となる記録紙カセットを選択する。
【００１０】
請求項４に記載の発明では、記録紙を収容する複数の記録紙カセットと、画データを記録紙に記録する記録手段と、記録紙を記録紙カセットから記録手段まで搬送する給紙時間及び記録紙の収容方向に基づく画データの記録時間を考慮して、画データの記録が完了するまでの時間が最短となる記録紙カセットを選択する制御手段と、記録部数を入力する入力手段をと備え、制御手段は、さらに残りの記録部数をも考慮して、画データの記録が完了するまでの時間が最短となる記録紙カセットを選択する。
【００１１】
【発明の実施の形態】
（第１実施形態）
以下に、本発明に係る画像形成装置を複合機に具体化した第１実施形態について図面を用いて説明する。
【００１２】
図１に示すように、複合機１１には、原稿給送部１２、原稿載置部１３、読取部１４、記録紙供給部１５、記録部１６及び記録紙排出部１７が装設されている。
【００１３】
原稿給送部１２は、複数の原稿２１を載置可能な原稿台２２と、原稿台２２上の原稿２１を１枚ずつ分離供給する分離ローラ２３と、分離された原稿２１を給送する複数の給送ローラ２４と、原稿２１が上面を通過する透光板２５と、排出された原稿２１をストックする原稿排出台２６とを備えている。第１原稿有無センサ２７は、原稿台２２に対向配置され、原稿台２２上に原稿２１が載置されているときに検出信号を出力する。原稿排出センサ２８は、原稿排出台２６に対向配置され、原稿排出台２６上へ原稿２１が排出されたときに検出信号を出力する。第１原稿サイズセンサ２９は、原稿台２２に対向配置され、原稿台２２に載置された原稿２１のサイズに応じた検出信号を出力する。
【００１４】
原稿載置部１３は、上面に原稿２１を載置するための透明な原稿載置板３１と、その原稿載置板３１上に開閉回動可能に配設されたカバー３２とを備えている。そして、原稿給送部１２の原稿台２２及び原稿排出台２６は、この原稿載置部１３のカバー３２上に配設され、カバー３２と一体的に開閉回動される。第２原稿有無センサ３３は、原稿載置板３１に対向配置され、原稿載置板３１上に原稿２１が載置されているときに検出信号を出力する。第２原稿サイズセンサ３４は、原稿載置板３１に対向配置され、原稿載置板３１に載置された原稿２１のサイズに応じた検出信号を出力する。
【００１５】
読取部１４は、透光板２５上を通過する原稿２１又は原稿載置板３１上に載置された原稿２１に光を照射する光源３７と、原稿２１からの反射光の光路を変更する第１ミラー３８〜第３ミラー４０と、光源３７及び第１ミラー３８〜第３ミラー４０を移動させるための移動機構４１（図２参照）とを備えている。また、読取部１４は、第３ミラー４０からの光を収束させる集光レンズ４２と、その集光レンズ４２を通して入射した光に基づき原稿２１の画像を読み取るとともに、その読み取った原稿２１の画像を出力する撮像素子（ＣＣＤ）４３とを備えている。
【００１６】
図２に示すように、移動機構４１は、左右一対の大径プーリ４４，４５と、左右一対の小径プーリ４６，４７と、大径プーリ４４，４５間に掛装された第１ベルト４８と、小径プーリ４６，４７間に掛装された第２ベルト４９とを備えている。また、移動機構４１は、第１ベルト４８に連結された第１キャリッジ５０と、第２ベルト４９に連結された第２キャリッジ５１と、ステップモータ５２とを備えている。
【００１７】
大径プーリ４４，４５の直径は小径プーリ４６，４７の直径の２倍に形成されている。また、左側の大径プーリ４４と小径プーリ４６とは、同一軸線上で一体回転可能に連結されて、ステップモータ５２に作動連結されている。さらに、第１キャリッジ５０上には光源３７及び第１ミラー３８が支持され、第２キャリッジ５１上には第２ミラー３９及び第３ミラー４０が支持されている。
【００１８】
そして、ステップモータ５２にて大径プーリ４４，４５及び小径プーリ４６，４７が回転されることにより、第１ベルト４８及び第２ベルト４９を介して、第１キャリッジ５０及び第２キャリッジ５１が移動される。このとき、第１キャリッジ５０は第２キャリッジ５１の２倍の移動速度で移動される。それにより、第１キャリッジ５０及び第２キャリッジ５１は図１に示すように、中間の待機位置Ｐ１と、透光板２５の直下に対向位置する第１原稿読取位置Ｐ２と、原稿載置板３１の基準端３１ａの直下に対向位置する第２原稿読取位置の開始点Ｐ３とに移動配置される。
【００１９】
また、原稿給送部１２と読取部１４とにより複数原稿自動読取部（ＡＤＦ）が構成され、第１キャリッジ５０及び第２キャリッジ５１が第１原稿読取位置Ｐ２に移動配置された状態で、透光板２５上を通過する原稿２１の画像が読み取られる。
【００２０】
さらに、原稿載置部１３と読取部１４とによりフラットベッドスキャナ（ＦＢＳ）が構成されている。そして、第１キャリッジ５０及び第２キャリッジ５１が第２原稿読取位置の開始点Ｐ３、つまりフラットベッドスキャナ（ＦＢＳ）のホームポジションに移動配置された後に、終了点Ｐ４に向かって移動されて、原稿載置板３１上に載置された原稿２１の画像が読み取られる。
【００２１】
図１に示すように、記録紙供給部１５は、上段から順に、つまり記録部１６に近い方から順に第１記録紙カセット６１〜第５記録紙カセット６５を備えている。また、記録紙供給部１５は、第１記録紙カセット６１〜第５記録紙カセット６５内の記録紙５６を１枚ずつ記録部１６に向けて給送する給紙ローラ５８と、記録紙５６の給送を案内するガイド板５９とを備えている。
【００２２】
尚、第１記録紙カセット６１には「Ａ４横サイズ（幅２９７ｍｍ×長さ２１０ｍｍ）」の記録紙５６が、第２記録紙カセット６２には「Ｂ４縦サイズ（幅２５７ｍｍ×長さ３６４ｍｍ）」の記録紙５６が、それぞれ積層状態で収容されている。また、第３記録紙カセット６３には「Ａ３縦サイズ（幅２９７ｍｍ×長さ４２０ｍｍ）」の記録紙５６が、第４記録紙カセット６４には「Ｂ５縦サイズ（幅１８２ｍｍ×長さ２５７ｍｍ）」の記録紙５６が、それぞれ積層状態で収容されている。さらに、大容量の第５記録紙カセット６５には「Ａ４縦サイズ（幅２１０ｍｍ×長さ２９７ｍｍ）」の記録紙５６が積層状態で収容されている。
【００２３】
これら各種サイズの記録紙５６の「幅」とは記録時における主走査方向の長さ（図１において紙面に直交する方向の長さ）であり、「長さ」とは記録時における副走査方向の長さ（図１において左右方向の長さ）である。
【００２４】
第１記録紙カセット６１〜第５記録紙カセット６５には、それぞれ第１記録紙有無センサ６１ａ〜第５記録紙有無センサ６５ａが配設され、第１記録紙カセット６１〜第５記録紙カセット６５内の記録紙５６の有無を示す検出信号を出力する。
【００２５】
記録部１６は、外周面に光導電膜を有する感光体ドラム６８と、その感光体ドラム６８の光導電膜を所定電位に一様帯電させる帯電器６９と、感光体ドラム６８上に静電潜像を形成する露光器７０と、感光体ドラム６８上の静電潜像にトナーを供給して、その静電潜像を現像する現像器７１とを備えている。また、記録部１６は、感光体ドラム６８に対して記録紙５６を給送する給送ローラ７２と、トナー画像を感光体ドラム６８上から記録紙５６上に転写させる転写器７３と、記録紙５６上のトナー画像を加熱定着させる加熱定着器７４とを備えている。
【００２６】
記録紙排出部１７は、記録済みの記録紙５６を排出する排紙ローラ７７と、記録紙５６の排出を案内するガイド板７８と、排出された記録紙５６をストックする排紙トレイ７９とを備えている。尚、記録紙供給部１５、記録部１６及び記録紙排出部１７において、例えば給紙ローラ５８、給送ローラ７２、感光体ドラム６８、現像器７１、排紙ローラ７７等は、図示しないステップモータからの回転駆動力により回転される。
【００２７】
次に、このように構成された複合機１１の電気的構成について、図３を用いて説明する。
図３に示すように、複合機１１は、ＭＰＵ８１、ＲＯＭ８２、ＲＡＭ８３、原稿給送部１２、原稿載置部１３、読取部１４、記録紙供給部１５、記録部１６、操作部８４、表示部８５、画像メモリ８６、コーデック８７、モデム８８、ＮＣＵ８９及び画像回転部９０から構成されるとともに、各部１２〜１６及び８１〜９０がバス９１を介してそれぞれ接続されている。
【００２８】
ＭＰＵ８１は、複合機１１を構成する各部を制御する。ＲＯＭ８２は、複合機１１を制御するための各種プログラムを記憶する。ＲＡＭ８３は、複合機１１に関する各種情報を記憶する。
【００２９】
原稿給送部１２は、第１原稿有無センサ２７及び第１原稿サイズセンサ２９を備え、第１原稿有無センサ２７は原稿台２２上の原稿２１の有無を、第１原稿サイズセンサ２９は原稿台２２に載置された原稿２１のサイズを、それぞれ検出して、その検出信号をＭＰＵ８１に出力する。
【００３０】
原稿載置部１３は、第２原稿有無センサ３３及び第２原稿サイズセンサ３４を備え、第２原稿有無センサ３３は原稿載置板３１上の原稿２１の有無を、第２原稿サイズセンサ３４は原稿載置板３１に載置された原稿２１のサイズを、それぞれ検出して、その検出信号をＭＰＵ８１に出力する。
【００３１】
読取部１４は、透光板２５又は原稿載置板３１を介して原稿２１の画像を１ライン分ずつ読み取って、その読み取った画像の画データを白黒２値化し、その２値化した１ライン分の画データをコーデック８７に順次出力する。
【００３２】
記録紙供給部１５は、原稿サイズ等に応じて選択された第１記録紙カセット６１〜第５記録紙カセット６５から記録紙５６を記録部１６に供給する。第１記録紙有無センサ６１ａ〜第５記録紙有無センサ６５ａは、それぞれ第１記録紙カセット６１〜第５記録紙カセット６５内の記録紙５６の有無を検出して、その検出信号をＭＰＵ８１に出力する。
【００３３】
記録部１６は、電子写真方式のプリンタよりなり、ＦＡＸ動作において受信画データを、コピー動作において読取部１４で読み取った画データを、記録紙５６上に記録する。
【００３４】
操作部８４は、ＦＡＸ／コピーキー８４ａ、短縮／電話帳キー８４ｂ、ワンタッチキー８４ｃ、テンキー（＊，＃キーを含む）８４ｄ及びスタートキー８４ｅ等の各種操作キーを備えている。ＦＡＸ／コピーキー８４ａは、ＦＡＸモード又はコピーモードに設定するためのものである。短縮／電話帳キー８４ｂは、短縮ダイヤルに予め登録されている相手先の電話番号（ＦＡＸ番号を含む）を短縮番号（例えば、００１）で指定するためのものであるとともに、電話帳に予め登録されている相手先の電話番号を検索して登録番号（例えば、０００１）で指定するためのものである。ワンタッチキー８４ｃは、ワンタッチダイヤルに予め登録されている相手先の電話番号をワンタッチ番号（例えば、０１）で指定するためのものである。テンキー８４ｄは、相手先の電話番号又はコピー部数等を入力するためのものである。スタートキー８４ｅは、原稿２１の読み取り動作を開始させるためのものである。
【００３５】
ＬＣＤ等よりなる表示部８５は、複合機１１の動作状態等の各種情報の表示を行う。
画像メモリ８６は、読取部１４で読み取られ、コーデック８７で符号化された画像の画データや、受信画データを一時的に記憶する。コーデック８７は、読取部１４から入力された画データをＭＨ，ＭＲ，ＭＭＲ，ＪＢＩＧ方式等により圧縮して符号化（エンコード）する。また、コーデック８７は、画像メモリ８６から読み出された画データを復号（デコード）する。
【００３６】
モデム８８は、ＩＴＵ（国際電気通信連合）−Ｔ勧告Ｔ．３０に従ったファクシミリ伝送制御手順に基づいて、Ｖ．１７，Ｖ．２７ｔｅｒ，Ｖ．２９等に従った送信データの変調及び受信データの復調を行う。ＮＣＵ８９は、電話回線Ｌを閉結及び開放するとともに、相手先の電話番号に対応したダイヤル信号を送出する機能及び着信を検出するための機能を備えている。
【００３７】
画像回転部９０は、受信画データや読取部１４で読み取られた画像の画データを必要に応じて回転処理する。また、画像回転部９０は、イメージメモリ９０ａ、ＦＩＦＯ(First In First Out)メモリ９０ｂ及びデータ転送部９０ｃを備えている。イメージメモリ９０ａは、画像メモリ８６から読み出されてコーデック８７で復号されたイメージデータを記憶する。ＦＩＦＯメモリ９０ｂは、イメージメモリ９０ａから読み出されたイメージデータを記憶する。データ転送部９０ｃは、ＦＩＦＯメモリ９０ｂから読み出されたイメージデータを記録部１６に転送する。
【００３８】
次に、原稿台２２に載置された原稿２１を読取部１４で読み取って、その読み取った原稿２１の画データを回転しないでソートコピーする場合及び画像回転部９０で画データを９０度回転してソートコピーする場合の動作について説明する。
【００３９】
［１］原稿２１の画データを回転しないでソートコピーする場合
かかる場合について、図４（ａ）に示す２枚の原稿２１の画データを回転しないで２部ソートコピーする場合の例を用いて説明する。
【００４０】
原稿２１が原稿台２２に載置され、ＦＡＸ／コピーキー８４ａの操作が行われてコピーモードに設定されるとともに、テンキー８４ｄからコピー部数が入力された後、スタートキー８４ｅが操作されると、読取部１４で１枚目の原稿２１を読み取り開始する。そして、その読み取った原稿２１の画データをコーデック８７で符号化した後、画像メモリ８６に記憶する。その後、画像メモリ８６から画データを読み出してコーデック８７で復号した後、その復号したイメージデータをイメージメモリ９０ａに記憶完了すると、１枚目の原稿２１を読み取り完了する。尚、１枚目の原稿２１を読み取り完了した後、それにほぼ連続して２枚目の原稿２１を読み取り開始する。ここで、スタートキー８４ｅが操作されてから１枚目の原稿２１が読み取り完了するまでの時間を読取時間Ｔ１とする。
【００４１】
一方、１枚目の記録紙５６の搬送は、１枚目の原稿２１を読み取り開始するのとほぼ同じタイミングで開始する。尚、１枚目の記録紙５６を搬送完了する前に１枚目の原稿２１を読み取り完了する。また、１枚目の記録紙５６を搬送完了した後、それにほぼ連続して２枚目の記録紙５６を搬送開始する（３枚目以降の記録紙５６についても同様）。ここで、各記録紙５６が第１記録紙カセット６１〜第５記録紙カセット６５のいずれかから感光体ドラム６８まで搬送される時間を給紙時間Ｔ２とする。この給紙時間Ｔ２は、各記録紙カセット６１〜６５から感光体ドラム６８までの記録紙５６の搬送経路の長さによって異なる。
【００４２】
他方、イメージメモリ９０ａに記憶した１枚目の原稿２１のイメージデータは、１枚目の記録紙５６を搬送完了した後、それにほぼ連続して主走査方向に読み出し開始して、ＦＩＦＯメモリ９０ｂに記憶する。その後、ＦＩＦＯメモリ９０ｂからそのイメージデータを読み出してデータ転送部９０ｃから記録部１６に転送する。そして、記録部１６でそのイメージデータを１枚目の記録紙５６に記録した後、記録済みの記録紙５６を排紙トレイ７９に排出完了すると、１枚目の原稿２１の１部目をコピー完了する。尚、１枚目の原稿２１の１部目をコピー完了する前に２枚目の原稿２１を読み取り完了する。また、１枚目の原稿２１の１部目をコピー完了した後、それにほぼ連続して２枚目の原稿２１の１部目をコピー開始する（１枚目及び２枚目の原稿２１の２部目のコピーについても同様）。
【００４３】
ここで、イメージメモリ９０ａから１枚目の原稿２１のイメージデータが読み出し開始されてから１枚目の原稿２１の１部目がコピー完了するまでの時間を記録時間Ｔ３とする。この記録時間Ｔ３は、同一サイズの記録紙５６であっても、記録紙５６の方向によって異なる。
【００４４】
従って、原稿２１の画データを回転しないでソートコピーする場合には、スタートキー８４ｅが操作されてから全ての原稿２１の１部目がコピー完了するまでのコピー時間ＴＡ１は、以下のように表すことができる。
【００４５】
【数１】
0003714196.tif 000002
ところで、原稿２１をソートコピーする場合には、全ての原稿２１を読み取り完了するまで原稿枚数を把握できない。そのため、１枚目の原稿２１を読み取り開始する前には原稿枚数を把握していない。その結果、１枚目の原稿２１を読み取り開始する前に、上記（式１）に基づいて、コピー時間ＴＡ１を算出する場合には、原稿枚数を考慮できないため、原稿枚数に「１」を代入する。
【００４６】
また、２部目がコピー開始されてから入力されたコピー部数全てがコピー完了するまでのコピー時間ＴＡＮは、以下のように表すことができる。
【００４７】
【数２】
0003714196.tif 000003
ところで、原稿２１をソートコピーする場合には、１部目をコピー完了する前に全ての原稿２１を読み取り完了する。そのため、２部目をコピー開始する前には予め原稿枚数を把握している。その結果、２部目をコピー開始する前に、上記（式２）に基づいて、コピー時間ＴＡＮを算出する場合には、原稿枚数を考慮できる。
【００４８】
従って、原稿２１の画データを回転しないでソートコピーする場合には、スタートキー８４ｅが操作されてから入力されたコピー部数全てがコピー完了するまでのコピー時間ＴＡは、以下のように表すことができる。
【００４９】
【数３】
0003714196.tif 000004
［２］原稿２１の画データを９０度回転してソートコピーする場合
かかる場合について、図４（ｂ）に示す２枚の原稿２１の画データを９０度回転して２部ソートコピーする場合の例を用いて説明する。
【００５０】
上記［１］と同様に、テンキー８４ｄからコピー部数が入力された後、スタートキー８４ｅが操作されると、読取部１４で１枚目の原稿２１を読み取り開始する。そして、上記［１］と同様に、イメージデータをイメージメモリ９０ａに記憶完了すると、１枚目の原稿２１を読み取り完了する。尚、１枚目の原稿２１を読み取り完了した後、それにほぼ連続して２枚目の原稿２１を読み取り開始する。
【００５１】
一方、１枚目の記録紙５６の搬送は、１枚目の原稿２１を読み取り完了した後、それにほぼ連続して開始する。尚、１枚目の記録紙５６を搬送完了する前に２枚目の原稿２１を読み取り完了する。また、１枚目の記録紙５６を搬送完了した後、それにほぼ連続して２枚目の記録紙５６を搬送開始する（３枚目以降の記録紙５６についても同様）。
【００５２】
他方、イメージメモリ９０ａに記憶した１枚目の原稿２１のイメージデータは、１枚目の記録紙５６を搬送完了した後、それにほぼ連続して副走査方向に読み出し開始して、ＦＩＦＯメモリ９０ｂに記憶する。その結果、イメージデータが９０度回転されてＦＩＦＯメモリ９０ｂに記憶される。そのため、１枚目の原稿２１を読み取り完了した後、換言すれば副走査方向における最終ラインを読み取り完了してイメージデータをイメージメモリ９０ａに記憶完了した後で、１枚目の記録紙５６を搬送開始している。
【００５３】
その後、上記［１］と同様に、ＦＩＦＯメモリ９０ｂから１枚目の原稿２１のイメージデータを読み出して、１枚目の記録紙５６に記録した後、記録済みの記録紙５６を排紙トレイ７９に排出完了すると、１枚目の原稿２１の１部目をコピー完了する。尚、１枚目の原稿２１の１部目をコピー完了した後、それにほぼ連続して２枚目の原稿２１の１部目をコピー開始する（１枚目及び２枚目の原稿２１の２部目のコピーについても同様）。
【００５４】
従って、原稿２１の画データを９０度回転してソートコピーする場合には、スタートキー８４ｅが操作されてから全ての原稿２１の１部目がコピー完了するまでのコピー時間ＴＢ１は、以下のように表すことができる。
【００５５】
【数４】
0003714196.tif 000005
ところで、上記［１］と同様に、１枚目の原稿２１を読み取り開始する前には原稿枚数を把握していない。その結果、１枚目の原稿２１を読み取り開始する前に、上記（式４）に基づいて、コピー時間ＴＢ１を算出する場合には、原稿枚数を考慮できないため、原稿枚数に「１」を代入する。
【００５６】
また、２部目がコピー開始されてから入力されたコピー部数全てがコピー完了するまでのコピー時間ＴＢＮは、以下のように表すことができる。
【００５７】
【数５】
0003714196.tif 000006
ところで、上記［１］と同様に、２部目をコピー開始する前には予め原稿枚数を把握している。その結果、２部目をコピー開始する前に、上記（式５）に基づいて、コピー時間ＴＢＮを算出する場合には、原稿枚数を考慮できる。
【００５８】
従って、原稿２１の画データを９０度回転してソートコピーする場合には、スタートキー８４ｅが操作されてから入力されたコピー部数全てがコピー完了するまでのコピー時間ＴＢは、以下のように表すことができる。
【００５９】
【数６】
0003714196.tif 000007
次に、複合機１１において、原稿２１をソートコピーするときの動作について、図５に示すフローチャートを用いて説明する。尚、この動作は、ＲＯＭ８２に記憶されたプログラムに基づき、ＭＰＵ８１の制御により実行される（以下、複合機１１の動作について同じ）。
【００６０】
さて、原稿２１が原稿台２２に載置され、ＦＡＸ／コピーキー８４ａの操作が行われてコピーモードに設定されるとともに、テンキー８４ｄからコピー部数が入力された後、スタートキー８４ｅが操作されると、
図５に示すステップＳ１１では、第１原稿サイズセンサ２９からの検出信号に基づいて、原稿サイズを判断する。
【００６１】
ステップＳ１２では、その原稿サイズに基づいて、原稿２１と同一サイズの記録紙５６が収容されている記録紙カセット及び原稿２１を９０度回転させた場合に同一サイズとなる記録紙５６が収容されている記録紙カセットを選択する。具体的には、原稿２１が「Ａ４縦サイズ」の場合には、原稿２１と同一サイズである「Ａ４縦サイズ」の記録紙５６が収容されている第５記録紙カセット６５及び原稿２１を９０度回転させた場合に同一サイズとなる「Ａ４横サイズ」の記録紙５６が収容されている第１記録紙カセット６１を選択する。尚、これら第１記録紙カセット６１及び第５記録紙カセット６５は、最適候補カセット群を構成する。
【００６２】
ステップＳ１３では、上記［１］の（式１）に基づいて、回転しない場合の１部目のコピー時間ＴＡ１を算出する。また、上記［２］の（式４）に基づいて、９０度回転する場合の１部目のコピー時間ＴＢ１を算出する。尚、ソートコピーする場合には、全ての原稿２１を読み取り完了するまで原稿枚数を把握できない。そのため、（式１）及び（式４）の原稿枚数にそれぞれ「１」を代入して、コピー時間ＴＡ１及びコピー時間ＴＢ１を算出する。
【００６３】
ステップＳ１４では、１部目のコピーに最適な記録紙カセット、つまりコピー時間ＴＡ１とコピー時間ＴＢ１とを比較してコピー時間が最短となる記録紙カセットを選択する。
【００６４】
ステップＳ１５では、原稿２１を順次読み取って、１部目を最適な記録紙カセット内の記録紙５６に記録した後、記録済みの記録紙５６を排紙トレイ７９に排出する。
【００６５】
ステップＳ１６では、第１原稿有無センサ２７からの検出信号に基づいて、原稿台２２上の全ての原稿２１を読み取り完了するまで待機する。尚、図４（ａ），（ｂ）に示すように、ソートコピーする場合には、１部目をコピー完了する前に全ての原稿２１を読み取り完了する。そして、全ての原稿２１を読み取り完了すると、ステップＳ１７に移行する。
【００６６】
ステップＳ１７では、上記［１］の（式２）に基づいて、回転しない場合の２部目以降のコピー時間ＴＡＮを算出する。また、上記［２］の（式５）に基づいて、９０度回転する場合の２部目以降のコピー時間ＴＢＮを算出する。尚、ソートコピーする場合には、２部目をコピー開始する前に予め原稿枚数を把握している。そのため、（式２）及び（式５）に基づいて、原稿枚数を考慮したコピー時間ＴＡＮ及びコピー時間ＴＢＮを算出することができる。
【００６７】
ステップＳ１８では、２部目以降のコピーに最適な記録紙カセット、つまりコピー時間ＴＡＮとコピー時間ＴＢＮとを比較してコピー時間が最短となる記録紙カセットを選択する。
【００６８】
ステップＳ１９では、２部目以降を最適な記録紙カセット内の記録紙５６に順次記録した後、記録済みの記録紙５６を排紙トレイ７９に排出する。
次に、原稿２１の画データを回転しないでノンソートコピーする場合及び原稿２１の画データを９０度回転してノンソートコピーする場合の動作について説明する。
【００６９】
［３］原稿２１の画データを回転しないでノンソートコピーする場合
かかる場合について、図６（ａ）に示す２枚の原稿２１の画データを回転しないで２部ノンソートコピーする場合の例を用いて説明する。
【００７０】
上記［１］と同様に、テンキー８４ｄからコピー部数が入力された後、スタートキー８４ｅが操作されると、読取部１４で１枚目の原稿２１を読み取り開始する。そして、イメージデータをイメージメモリ９０ａに記憶完了すると、１枚目の原稿２１を読み取り完了する。尚、ノンソートコピーする場合には、画像メモリ８６を使用しない。
【００７１】
一方、１枚目の記録紙５６の搬送は、１枚目の原稿２１を読み取り開始するのとほぼ同じタイミングで開始する。尚、１枚目の記録紙５６を搬送完了する前に１枚目の原稿２１を読み取り完了する。また、１枚目の記録紙５６を搬送完了した後、それにほぼ連続して２枚目の記録紙５６を搬送開始する。
【００７２】
他方、イメージメモリ９０ａに記憶した１枚目の原稿２１のイメージデータは、１枚目の記録紙５６を搬送完了した後、それにほぼ連続して主走査方向に読み出し開始して、ＦＩＦＯメモリ９０ｂに記憶する。その後、上記［１］と同様に、イメージデータを１枚目の記録紙５６に記録した後、記録済みの記録紙５６を排紙トレイ７９に排出完了すると、１枚目の原稿２１の１部目をコピー完了する。尚、１枚目の原稿２１の１部目をコピー完了した後、それにほぼ連続して１枚目の原稿２１の２部目をコピー開始する。
【００７３】
さらに、２枚目の原稿２１の読み取りは、１枚目の原稿２１の２部目をコピー完了した後、それにほぼ連続して開始する。以下、上記１枚目の原稿２１のコピー動作と同様に、２枚目の原稿２１のコピー動作を行なう。
【００７４】
従って、原稿２１の画データを回転しないでノンソートコピーする場合には、各原稿２１毎のコピー時間ＴＣは、以下のように表すことができる。
【００７５】
【数７】
0003714196.tif 000008
［４］原稿２１の画データを９０度回転してノンソートコピーする場合
かかる場合について、図６（ｂ）に示す２枚の原稿２１の画データを９０度回転して２部ノンソートコピーする場合の例を用いて説明する。
【００７６】
上記［１］と同様に、テンキー８４ｄからコピー部数が入力された後、スタートキー８４ｅが操作されると、読取部１４で１枚目の原稿２１を読み取り開始する。そして、イメージデータをイメージメモリ９０ａに記憶完了すると、１枚目の原稿２１を読み取り完了する。尚、上記［３］と同様に、画像メモリ８６を使用しない。
【００７７】
一方、１枚目の記録紙５６の搬送は、１枚目の原稿２１を読み取り完了した後、それにほぼ連続して開始する。尚、１枚目の記録紙５６を搬送完了した後、それにほぼ連続して２枚目の記録紙５６を搬送開始する。
【００７８】
他方、イメージメモリ９０ａに記憶した１枚目の原稿２１のイメージデータは、１枚目の記録紙５６を搬送完了した後、それにほぼ連続して副走査方向に読み出し開始して、ＦＩＦＯメモリ９０ｂに記憶する。その結果、イメージデータが９０度回転されてＦＩＦＯメモリ９０ｂに記憶される。そのため、１枚目の原稿２１を読み取り完了した後、換言すれば副走査方向における最終ラインを読み取り完了してイメージデータをイメージメモリ９０ａに記憶完了した後で、１枚目の記録紙５６を搬送開始している。
【００７９】
その後、上記［１］と同様に、イメージデータを１枚目の記録紙５６に記録した後、記録済みの記録紙５６を排紙トレイ７９に排出完了すると、１枚目の原稿２１の１部目をコピー完了する。尚、１枚目の原稿２１の１部目をコピー完了した後、それにほぼ連続して１枚目の原稿２１の２部目をコピー開始する。
【００８０】
さらに、２枚目の原稿２１の読み取りは、１枚目の原稿２１の２部目をコピー完了した後、それにほぼ連続して開始する。以下、上記１枚目の原稿２１のコピー動作と同様に、２枚目の原稿２１のコピー動作を行なう。
【００８１】
従って、原稿２１の画データを９０度回転してノンソートコピーする場合には、各原稿２１毎のコピー時間ＴＤは、以下のように表すことができる。
【００８２】
【数８】
0003714196.tif 000009
次に、複合機１１において、原稿２１をノンソートコピーするときの動作について、図７に示すフローチャートを用いて説明する。
【００８３】
図７に示すステップＳ２１，Ｓ２２では、図５に示すステップＳ１１，Ｓ１２と同様の処理を行なう。
ステップＳ２３では、上記［３］の（式７）に基づいて、回転しない場合の各原稿２１毎のコピー時間ＴＣを算出する。また、上記［４］の（式８）に基づいて、９０度回転する場合の各原稿２１毎のコピー時間ＴＤを算出する。
【００８４】
ステップＳ２４では、各原稿２１毎のコピーに最適な記録紙カセット、つまりコピー時間ＴＣとコピー時間ＴＤとを比較してコピー時間が最短となる記録紙カセットを選択する。
【００８５】
ステップＳ２５では、原稿２１を１枚のみ読み取って、テンキー８４ｄから入力されたコピー部数だけ最適な記録紙カセット内の記録紙５６に記録した後、記録済みの記録紙５６を排紙トレイ７９に排出する。
【００８６】
ステップＳ２６では、第１原稿有無センサ２７からの検出信号に基づいて、次の原稿２１の有無を判断する。次の原稿２１が有る場合は、前記ステップＳ２５に戻って、原稿２１を１枚のみ読み取って、記録紙５６への記録と排出を行なう。一方、次の原稿２１が無い場合は、この処理を終了する。
【００８７】
以上、詳述したように本実施形態によれば、次のような作用、効果を得ることができる。
・読取部１４で原稿２１を読み取って記録紙５６にコピーする場合には、原稿２１の画データを回転しないでコピーする場合と原稿２１の画データを９０度回転してコピーする場合とでコピー時間が最短となる記録紙カセットを選択している。具体的には、読取時間Ｔ１、給紙時間Ｔ２、記録時間Ｔ３、原稿２１の枚数及びコピー部数に基づいて、回転しない場合のコピー時間と９０度回転する場合のコピー時間とをそれぞれ算出している。そして、それらのコピー時間を比較して、コピー時間が最短となる記録紙カセットを選択している。その結果、スタートキー８４ｅが操作されてから入力されたコピー部数全てがコピー完了するまでの時間を短縮することができる。
【００８８】
（第２実施形態）
次に、本発明の第２実施形態を説明する。尚、この第２実施形態が前記第１実施形態と主に異なるのは、残りのコピー部数を考慮して、コピー時間を算出し、コピー時間が最短となる記録紙カセットを選択する点である。
【００８９】
ここで、原稿２１の画データを回転しないでソートコピーする場合及び原稿２１の画データを９０度回転してソートコピーする場合の動作について説明する。
［５］原稿２１の画データを回転しないでソートコピーする場合
この場合には、スタートキー８４ｅが操作されてから１部目がコピー完了するまでのコピー時間ＴＡ１は、前記第１実施形態における［１］の（式１）で表すことができる。
【００９０】
ところで、前記第１実施形態の［１］と同様に、１枚目の原稿２１を読み取り開始する前には原稿枚数を把握していない。その結果、１枚目の原稿２１を読み取り開始する前に、（式１）に基づいて、コピー時間ＴＡ１を算出する場合には、原稿枚数を考慮できないため、原稿枚数に「１」を代入する。
【００９１】
また、２部目以降の各部毎のコピー時間ＴＡ２は、以下のように表すことができる。
【００９２】
【数９】
コピー時間ＴＡ２＝１枚当たりの記録時間Ｔ３×原稿枚数      ……（式９）
ところで、前記第１実施形態の［１］と同様に、２部目をコピー開始する前には予め原稿枚数を把握している。その結果、２部目をコピー開始する前に、上記（式９）に基づいて、コピー時間ＴＡ２を算出する場合には、原稿枚数を考慮できる。
【００９３】
その結果、２部目がコピー開始されてから入力されたコピー部数全てがコピー完了するまでのコピー時間ＴＡＮは、前記第１実施形態における［１］の（式２）で表すことができる。
【００９４】
従って、原稿２１の画データを回転しないでソートコピーする場合には、スタートキー８４ｅが操作されてから入力されたコピー部数全てがコピー完了するまでのコピー時間ＴＡは、前記第１実施形態における［１］の（式３）で表すことができる。
【００９５】
［６］原稿２１の画データを９０度回転してソートコピーする場合
この場合には、スタートキー８４ｅが操作されてから１部目がコピー完了するまでのコピー時間ＴＢ１は、前記第１実施形態における［２］の（式４）で表すことができる。
【００９６】
ところで、前記第１実施形態の［１］と同様に、１枚目の原稿２１を読み取り開始する前には原稿枚数を把握していない。その結果、１枚目の原稿２１を読み取り開始する前に、（式４）に基づいて、コピー時間ＴＢ１を算出する場合には、原稿枚数を考慮できないため、原稿枚数に「１」を代入する。
【００９７】
また、２部目以降の各部毎のコピー時間ＴＢ２は、以下のように表すことができる。
【００９８】
【数１０】
コピー時間ＴＢ２＝１枚当たりの記録時間Ｔ３×原稿枚数    ……（式１０）
ところで、前記第１実施形態の［１］と同様に、２部目をコピー開始する前には予め原稿枚数を把握している。その結果、２部目をコピー開始する前に、上記（式１０）に基づいて、コピー時間ＴＢ２を算出する場合には、原稿枚数を考慮できる。
【００９９】
その結果、２部目がコピー開始されてから入力されたコピー部数全てがコピー完了するまでのコピー時間ＴＢＮは、前記第１実施形態における［２］の（式５）で表すことができる。
【０１００】
従って、原稿２１の画データを９０度回転してソートコピーする場合には、スタートキー８４ｅが操作されてから入力されたコピー部数全てがコピー完了するまでのコピー時間ＴＢは、前記第１実施形態における［２］の（式６）で表すことができる。
【０１０１】
次に、本実施形態の複合機１１において、原稿２１をソートコピーするときの動作について、図８に示すフローチャートを用いて説明する。
図８に示すステップＳ５１，Ｓ５２では、図５に示すステップＳ１１，Ｓ１２と同様の処理を行なう。
【０１０２】
ステップＳ５３では、テンキー８４ｄから入力されたコピー部数を部数カウンタＣの値にセットする。
ステップＳ５４〜Ｓ５６では、図５に示すステップＳ１３〜Ｓ１５と同様の処理を行なう。
【０１０３】
ステップＳ５７では、部数カウンタＣの値をデクリメントする。
ステップＳ５８では、部数カウンタＣの値が「０」か否かを判断する。部数カウンタＣの値が「０」の場合は、テンキー８４ｄから入力されたコピー部数全てをコピー完了したと判断して、この処理を終了する。一方、部数カウンタＣの値が「０」でない場合は、ステップＳ５９に移行する。
【０１０４】
ステップＳ５９では、図５に示すステップＳ１６と同様の処理を行なう。
ステップＳ６０，Ｓ６１では、図５に示すステップＳ１７，Ｓ１８と同様の処理を行なう。
【０１０５】
ステップＳ６２では、次の１部を最適な記録紙カセット内の記録紙５６に記録した後、記録済みの記録紙５６を排紙トレイ７９に排出する。そして、前記ステップＳ５７に戻って、部数カウンタＣの値が「０」になるまで、つまりテンキー８４ｄから入力されたコピー部数全てをコピー完了するまでステップＳ５７〜Ｓ６２の処理を繰り返す。
【０１０６】
次に、原稿２１の画データを回転しないでノンソートコピーする場合及び原稿２１の画データを９０度回転してノンソートコピーする場合の動作について説明する。
【０１０７】
［７］原稿２１の画データを回転しないでノンソートコピーする場合
この場合には、各原稿２１毎の１部目のコピー時間ＴＣ１は、以下のように表すことができる。具体的には、前記第１実施形態における［３］の（式７）において、コピー部数に「１」を代入する。
【０１０８】
【数１１】
0003714196.tif 000010
また、各原稿２１毎の２部目以降の各部毎のコピー時間ＴＣ２は、以下のように表すことができる。
【０１０９】
【数１２】
コピー時間ＴＣ２＝１枚当たりの記録時間Ｔ３              ……（式１２）
その結果、各原稿２１毎の２部目がコピー開始されてから入力されたコピー部数全てがコピー完了するまでのコピー時間ＴＣＮは、以下のように表すことができる。
【０１１０】
【数１３】
0003714196.tif 000011
従って、原稿２１の画データを回転しないでノンソートコピーする場合には、各原稿２１毎のコピー時間ＴＣは、前記第１実施形態における［３］の（式７）で表すことができる。
【０１１１】
［８］原稿２１の画データを９０度回転してノンソートコピーする場合
この場合には、各原稿２１毎の１部目のコピー時間ＴＤ１は、以下のように表すことができる。具体的には、前記第１実施形態における［４］の（式８）において、コピー部数に「１」を代入する。
【０１１２】
【数１４】
0003714196.tif 000012
また、各原稿２１毎の２部目以降の各部毎のコピー時間ＴＤ２は、以下のように表すことができる。
【０１１３】
【数１５】
コピー時間ＴＤ２＝１枚当たりの記録時間Ｔ３              ……（式１５）
その結果、各原稿２１毎の２部目がコピー開始されてから入力されたコピー部数全てがコピー完了するまでのコピー時間ＴＤＮは、以下のように表すことができる。
【０１１４】
【数１６】
0003714196.tif 000013
従って、原稿２１の画データを９０度回転してノンソートコピーする場合には、各原稿２１毎のコピー時間ＴＤは、前記第１実施形態における［４］の（式８）で表すことができる。
【０１１５】
次に、本実施形態の複合機１１において、原稿２１をノンソートコピーするときの動作について、図９に示すフローチャートを用いて説明する。
図９に示すステップＳ７１〜Ｓ７３では、図８に示すステップＳ５１〜Ｓ５３と同様の処理を行なう。
【０１１６】
ステップＳ７４では、上記［７］の（式１１）に基づいて、回転しない場合の各原稿２１毎の１部目のコピー時間ＴＣ１を算出する。また、上記［８］の（式１４）に基づいて、９０度回転する場合の各原稿２１毎の１部目のコピー時間ＴＤ１を算出する。
【０１１７】
ステップＳ７５では、各原稿２１毎の１部目のコピーに最適な記録紙カセット、つまりコピー時間ＴＣ１とコピー時間ＴＤ１とを比較してコピー時間が最短となる記録紙カセットを選択する。
【０１１８】
ステップＳ７６では、原稿２１を１枚のみ読み取って、１部目を最適な記録紙カセット内の記録紙５６に記録した後、記録済みの記録紙５６を排紙トレイ７９に排出する。
【０１１９】
ステップＳ７７，Ｓ７８では、図８に示すステップＳ５７，Ｓ５８と同様の処理を行なう。
ステップＳ７９では、上記［７］の（式１３）に基づいて、回転しない場合の各原稿２１毎の２部目以降のコピー時間ＴＣＮを算出する。また、上記［８］の（式１６）に基づいて、９０度回転する場合の各原稿２１毎の２部目以降のコピー時間ＴＤＮを算出する。
【０１２０】
ステップＳ８０では、各原稿２１毎の２部目以降のコピーに最適な記録紙カセット、つまりコピー時間ＴＣＮとコピー時間ＴＤＮとを比較してコピー時間が最短となる記録紙カセットを選択する。
【０１２１】
ステップＳ８１では、各原稿２１毎の次の１部を最適な記録紙カセット内の記録紙５６に記録した後、記録済みの記録紙５６を排紙トレイ７９に排出する。そして、前記ステップＳ７７に戻って、部数カウンタＣの値が「０」になるまで、つまり各原稿２１毎にテンキー８４ｄから入力されたコピー部数全てをコピー完了するまでステップＳ７７〜Ｓ８１の処理を繰り返す。
【０１２２】
前記ステップＳ７８において「ＹＥＳ」と判断した場合、つまり各原稿２１毎にテンキー８４ｄから入力されたコピー部数全てをコピー完了したと判断した場合は、ステップＳ８２に移行する。
【０１２３】
ステップＳ８２では、第１原稿有無センサ２７からの検出信号に基づいて、次の原稿２１の有無を判断する。次の原稿２１が有る場合は、前記ステップＳ７６に戻って、原稿２１を１枚のみ読み取って、１部目の記録紙５６への記録と排出を行なう。一方、次の原稿２１が無い場合は、この処理を終了する。
【０１２４】
以上、詳述したように本実施形態によれば、次のような作用、効果を得ることができる。
・コピー部数を減算しながら、残りのコピー部数を考慮して、コピー時間を算出し、コピー時間が最短となる記録紙カセットを選択している。具体的には、コピーが１部完了する毎に、回転しない場合のコピー時間と９０度回転する場合のコピー時間とをそれぞれ算出している。そして、それらのコピー時間を比較して、残りのコピー部数全てがコピー完了するまでのコピー時間が最短となる記録紙カセットを選択している。その結果、コピーが１部完了する毎に、次の１部のコピー時間が常に最短となる。従って、スタートキー８４ｅが操作されてから入力されたコピー部数全てがコピー完了するまでの時間をさらに短縮することができる。
【０１２５】
尚、前記実施形態は、次のように変更して具体化することも可能である。
・図５に示すＳ１３，Ｓ１７、図７に示すＳ２３、図８に示すＳ５４，Ｓ６０、図９に示すＳ７４，Ｓ７９においてそれぞれ算出したコピー時間に基づいて、コピー時間が最短となる記録紙カセットを選択した場合のコピー時間を表示部８５に表示する構成としてもよい。このように構成すれば、コピー完了までの時間を報知することができる。
【０１２６】
・図５に示すＳ１４，Ｓ１８、図７に示すＳ２４、図８に示すＳ５５，Ｓ６１、図９に示すＳ７５，Ｓ８０においてそれぞれコピー時間が最短となる記録紙カセットを選択した後、その記録紙カセット内の記録紙５６の有無を判断する。具体的には、第１記録紙有無センサ６１ａ〜第５記録紙有無センサ６５ａからの検出信号に基づいて、記録紙５６の有無を判断する。そして、コピー時間が最短となる記録紙カセット内に記録紙５６が無いと判断した場合には、図５に示すＳ１２、図７に示すＳ２２、図８に示すＳ５２、図９に示すＳ７２においてそれぞれ選択した記録紙カセット、いわば最適候補カセット群を構成する記録紙カセットを優先的に選択する構成としてもよい。
【０１２７】
このように構成すれば、コピーの途中でコピー時間が最短となる記録紙カセット内の記録紙５６が無くなった場合であっても、コピーが中断されることはない。従って、コピーを素早く完了させることができる。しかも、本構成に上記コピー時間を表示部８５に表示する構成を付加した場合には、最適候補カセット群を構成する記録紙カセットを優先的に選択したときのコピー完了までの時間を報知することができる。
【０１２８】
・図１０に示すステップＳ１６０，Ｓ１６１の処理を図８に示すステップＳ６０，Ｓ６１の処理から変更した構成としてもよい。即ち、ステップＳ１６０では、前記第２実施形態における［５］の（式９）に基づいて、回転しない場合における２部目以降の各部毎のコピー時間ＴＡ２を算出する。また、前記第２実施形態における［６］の（式１０）に基づいて、９０度回転する場合における２部目以降の各部毎のコピー時間ＴＢ２を算出する。尚、ソートコピーする場合には、２部目をコピー開始する前に予め原稿枚数を把握している。そのため、（式９）及び（式１０）に基づいて、原稿枚数を考慮したコピー時間ＴＡ２及びコピー時間ＴＢ２を算出することができる。
【０１２９】
ステップＳ１６１では、２部目以降の各部毎のコピーに最適な記録紙カセット、つまりコピー時間ＴＡ２とコピー時間ＴＢ２とを比較してコピー時間が最短となる記録紙カセットを選択する。このように構成すれば、コピーが１部完了する毎に、次の１部のコピー時間が常に最短となる記録紙カセットが選択される。従って、スタートキー８４ｅが操作されてから入力されたコピー部数全てがコピー完了するまでの時間をさらに短縮することができる。
【０１３０】
・図１１に示すステップＳ１８１の処理を図９に示すステップＳ７９，Ｓ８０の処理から変更した構成としてもよい。即ち、ステップＳ１８１では、各原稿２１毎の２部目以降の各部毎のコピーに最適な記録紙カセット、つまり各原稿２１毎の２部目以降の各部毎のコピー時間が最短となる記録紙カセットを選択する。具体的には、前記第２実施形態における［７］の（式１２）及び［８］の（式１５）に基づいて、コピー時間ＴＣ２とコピー時間ＴＤ２とを比較してコピー時間が最短となる記録紙カセットを選択する。このように構成すれば、各原稿２１毎のコピーが１部完了する毎に、次の１部のコピー時間が常に最短となる記録紙カセットが選択される。従って、スタートキー８４ｅが操作されてから入力されたコピー部数全てがコピー完了するまでの時間をさらに短縮することができる。
【０１３１】
・前記第２実施形態では、１部目をコピー完了した後、２部目以降のコピー時間が最短となる記録紙カセットを選択する構成としたが、次のような構成としてもよい。即ち、１部目をコピー開始する前に、１部目のコピー時間が最短となる記録紙カセットを選択するのに加えて、２部目以降のコピー時間が最短となる記録紙カセットをも選択する構成としてもよい。このように構成すれば、１部目をコピー完了した後、それにほぼ連続して２部目以降をコピー開始できる。従って、スタートキー８４ｅが操作されてから入力されたコピー部数全てがコピー完了するまでの時間をさらに短縮することができる。
【０１３２】
・原稿２１をノンソートコピーする場合において、画像メモリ８６を使用する構成としてもよい。具体的には、前記第１実施形態の［１］と同様に、テンキー８４ｄからコピー部数が入力された後、スタートキー８４ｅが操作されると、原稿２１をソートコピーする場合と同様に、原稿２１を連続して読み取って、その読み取った原稿２１の画データを画像メモリ８６に記憶する。このように構成すれば、図６（ａ），（ｂ）に示すノンソートコピーする場合の例とは異なり、各原稿２１毎の最終部がコピー完了した後、それにほぼ連続して次の原稿２１の１部目がコピー開始される。従って、前記各実施形態の効果と同様の効果を奏する。しかも、テンキー８４ｄから入力されたコピー部数が多い場合のようにコピーに時間がかかる場合であっても、図４（ａ），（ｂ）に示すソートコピーする場合の例と同様に、全ての原稿２１を素早く読み取り完了することができる。
【０１３３】
・原稿載置板３１に載置された原稿２１を読み取ってコピーする場合に具体化してもよい。
・通信ネットワーク又はシリアルケーブル（例えば、ＲＳ−２３２Ｃ）を介してパソコンから指示されてきた記録部数に基づいて、画データを記録紙５６に記録する場合に具体化してもよい。つまり、複合機１１のインターフェースが通信ネットワーク等を介してパソコンと接続されている構成の場合には、本発明にかかる入力手段は、テンキー８４ｄに加えて、複合機１１のインターフェースをも含む。
【０１３４】
さらに、上記各実施形態より把握される技術的思想について、以下にそれらの効果と共に記載する。
〔１〕請求項４に記載の画像形成装置において、制御手段は、１部目の記録が完了するまでの時間が最短となる記録紙カセットを選択して１部目を記録した後、２部目以降の記録が完了するまでの時間が最短となる記録紙カセットを選択する画像形成装置。このように構成すれば、画データの記録が完了するまでの時間を短縮することができる。
【０１３５】
〔２〕請求項４に記載の画像形成装置において、制御手段は、１部目を記録する前に、１部目の記録が完了するまでの時間が最短となる記録紙カセットを選択するのに加えて、２部目以降の記録が完了するまでの時間が最短となる記録紙カセットをも選択する画像形成装置。このように構成すれば、画データの記録が完了するまでの時間を短縮することができる。
【０１３６】
〔３〕請求項１〜請求項４、上記〔１〕、〔２〕のいずれか１項に記載の画像形成装置において、制御手段は、原稿と同一サイズの記録紙を収容する記録紙カセット及び原稿を９０度回転させた場合に同一サイズとなる記録紙を収容する記録紙カセットから構成される最適候補カセット群の中からコピー時間が最短となる記録紙カセットを選択する画像形成装置。このように構成すれば、画データの記録が完了するまでの時間を短縮することができる。
【０１３７】
【発明の効果】
本発明は、以上のように構成されているため、次のような効果を奏する。
請求項１〜請求項４のいずれか１項に記載の発明によれば、画データの記録が完了するまでの時間を短縮することができる。
【図面の簡単な説明】
【図１】複合機の断面図。
【図２】複合機の一部拡大断面図。
【図３】複合機を示すブロック図。
【図４】原稿をソートコピーする場合の動作を示す説明図。
【図５】第１実施形態における原稿をソートコピーするときの動作を示すフローチャート。
【図６】原稿をノンソートコピーする場合の動作を示す説明図。
【図７】第１実施形態における原稿をノンソートコピーするときの動作を示すフローチャート。
【図８】第２実施形態における原稿をソートコピーするときの動作を示すフローチャート。
【図９】第２実施形態における原稿をノンソートコピーするときの動作を示すフローチャート。
【図１０】別の実施形態における原稿をソートコピーするときの動作を示すフローチャート。
【図１１】別の実施形態における原稿をノンソートコピーするときの動作を示すフローチャート。
【符号の説明】
１１…画像形成装置としての複合機、１４…読取手段としての読取部、１６…記録手段としての記録部、２１…原稿、５６…記録紙、６１…第１記録紙カセット、６２…第２記録紙カセット、６３…第３記録紙カセット、６４…第４記録紙カセット、６５…第５記録紙カセット、８１…制御手段を構成するＭＰＵ、８２…制御手段を構成するＲＯＭ、８３…制御手段を構成するＲＡＭ、８４ｄ…入力手段としてのテンキー。
【図１】
0003714196.tif 000014
【図２】
0003714196.tif 000015
【図３】
0003714196.tif 000016
【図４】
0003714196.tif 000017
【図５】
0003714196.tif 000018
【図６】
0003714196.tif 000019
【図７】
0003714196.tif 000020
【図８】
0003714196.tif 000021
【図９】
0003714196.tif 000022
【図１０】
0003714196.tif 000023
【図１１】
0003714196.tif 000024